(57)【要約】      （修正有）【課題】高周波信号を伝達し、電磁干渉を防止するために用いられるコネクタ構造を提供する。【解決手段】コネクタ構造は、Ｚ字状のようなコネクタハウジング１１と、コネクタハウジング１１の天井面に並列に配置された２つのコネクタ本体１２と、コネクタハウジング１１の底面に配置された金属底蓋１３とを備える。各コネクタ本体１２は、内部に複数の固定導電端子と複数の弾性導電端子が嵌合された絶縁本体と、固定導電端子と弾性導電端子の半田部を嵌合する端子台と、端子台を覆う金属カバーと、金属カバーを嵌合する金属ケース１２２とを含む。金属カバーが金属ケース１２２と金属底蓋１３とにそれぞれ係合して接続されることにより、電磁干渉を防止し、電磁干渉によるコネクタ本体の高周波信号の伝送効果への影響を避ける。【選択図】図２
0003201237.tif 000002
【実用新案登録請求の範囲】
【請求項１】
ベース及びベースから延在された舌部を有し、舌部の上面に複数の第１スロットが形成され、舌部の上面より下方に複数の第２スロットが形成され、第１スロットの先端と第２スロットの先端とが間隔を隔てて設けられた絶縁本体と、
延在部、延在部の両端から延在された連結部、コンタクト、及び連結部から曲折して延在された半田部をそれぞれ画定し、第２スロットに設けられた複数の第１導電端子と、
延在部、延在部の両端から延在された連結部、コンタクト、及び連結部から曲折して延在された半田部をそれぞれ画定し、第１スロットに設けられた複数の第２導電端子と、
受容空間、受容空間に設けられ２分割する仕切板、及び底面に形成され仕切板の両側にそれぞれ位置するとともに各受容空間に連通し、各第１導電端子及び各第２導電端子の半田部が挿通するための複数の貫通孔が形成された端子台と、
内部に端子台を設置し係合するための挿着空間が画定された金属カバーと、
前ケース及び前ケース後端から延在し曲折して成形された後ケースを有し、前ケースの内部に絶縁本体が係合され、後ケースが金属カバーと互いに係合された金属ケースと、を含む複数のコネクタ本体と、
天井面と底面とを有し、天井面と底面との間に間隔を隔て設けられ、天井面の先端と底面の先端とがずれて配置され、コネクタ本体をそれぞれ支えるように、天井面の中央に天井面を２つの領域に区分するように上方に向かって突起部が形成され、底面の隣接する側面の上端及び下端の箇所に第１ブラケット及び第２ブラケットがそれぞれ延在されたコネクタハウジングと、
金属本体、金属本体の先端から延在し左右対称に配置された２つの第１連結部、及び金属本体の後端から延在し左右対称に配置された２つの第２連結部を有し、第１連結部が第１ブラケットに係着され、第２連結部が第２ブラケットに係着され、金属ケースと互いに係止された金属底蓋と、を備える、
コネクタ構造。
【請求項２】
各コネクタ本体は、さらに、前記第１導電端子の曲折箇所下方に配置され、前記第１導電端子の半田部を並列に固定するための絶縁固定部を備えることを特徴とする請求項１記載のコネクタ構造。
【請求項３】
前記端子台の両側縁の底部に凹溝が設けられ、前記凹溝に係合するように前記金属カバーの両側縁に、対応する内向き凸係合片が設けられたことを特徴とする請求項１記載のコネクタ構造。
【請求項４】
前記仕切板は、その両側面に前記第１導電端子の前記半田部と前記第２導電端子の前記半田部とを十分に離間することが可能な傾斜面を形成したことを特徴とする請求項１記載のコネクタ構造。
【請求項５】
前記前ケースの底面後端に側壁が垂直に外に向かって形成され、前記側壁の左右両側に外向き凸係合片がそれぞれ形成され、前記外向き凸係合片に係合するように前記金属カバーの先端側面に、対応する係合孔が形成されたことを特徴とする請求項１記載のコネクタ構造。
【請求項６】
前記絶縁本体の前記ベースの両側辺にフランジがそれぞれ設けられ、前記ケースの後端両側には、フランジに係合するように対応する凹溝をそれぞれ有することを特徴とする請求項１記載のコネクタ構造。
【請求項７】
前記前ケースの底面の左右両側に内向きに突起する弾性片が形成され、前記弾性片を受けるように前記コネクタハウジングの上面に係合溝が形成されたことを特徴とする請求項１記載のコネクタ構造。
【請求項８】
前記前ケースの両側辺に外向き凸係合片がそれぞれ形成され、前記前ケースの両側辺の外向き凸係合片に係合するように前記コネクタハウジングの前記突起部の両側に、対応する係合溝がそれぞれ形成されたことを特徴とする請求項１記載のコネクタ構造。
【請求項９】
前記コネクタハウジングの裏面の底面近傍において両側に係合溝がそれぞれ形成され、前記第１連結部が間隔を隔てて設けられた第１弾性片及び第２弾性片を有し、前記第１弾性片及び前記第２弾性片が前記第１ブラケットの前後に架け渡され、前記第２弾性片に点状凸起が設けられ、前記点状凸起が係合溝に係合されていることを特徴とする請求項１記載のコネクタ構造。
【考案の詳細な説明】
【技術分野】
【０００１】
本考案は、コネクタ構造に関し、特に、高周波信号を伝送し、電磁干渉を防止するために用いられるコネクタ構造に関する。
【背景技術】
【０００２】
ユニバーサルシリアルバス（Ｕｎｉｖｅｒｓａｌ  Ｓｅｒｉａｌ  Ｂｕｓ；ＵＳＢ）コネクタは、通常、ＵＳＢコネクタと総称し、差し込めば即利用可能で、伝送速度が速いなどの特徴があるので、すでに様々なパソコン製品の信号伝送に幅広く利用されている。ＵＳＢコネクタの発展に伴い、人々は伝送速度や安定度に対してもより多くを求めるようになっている。
【０００３】
科学技術の発展に伴い、電子製品においては、携帯しやすいように、より軽薄化、コンパクト化が求められる傾向があり、個人用の携帯端末やコンピュータまたはノートパソコンに配置されたＵＳＢコネクタも同様である。このようなニーズは、どのように単位体積当たりのＵＳＢコネクタ数を高めるかに反映されている。一方、高周波の伝送速度に対する要求においては、ＵＳＢコネクタの伝送用のインターフェース規格も既存のＵＳＢ２．０およびＵＳＢ３．０の両方に配慮を加えなければならない。そこで、どのように単位体積当たりのＵＳＢコネクタ数を高め、同時に高周波の転送速度を保持し、電磁干渉を避けるかが、重要な課題になった。
【考案の概要】
【考案が解決しようとする課題】
【０００４】
そのため、上記のコネクタ本体の問題をどのように解決するかということがが、本考案が研究、改良しようとする目的である。
【課題を解決するための手段】
【０００５】
上記従来の問題を解決するための本考案に係るコネクタ構造は、Ｚ字状のようなコネクタハウジングと、コネクタハウジングの天井面に並列に配置された２つのコネクタ本体と、コネクタハウジングの底面に配置された金属底蓋とを備える。
各コネクタ本体は、内部に複数の固定導電端子と複数の弾性導電端子が嵌合された絶縁本体と、固定導電端子と弾性導電端子の半田部を嵌合する端子台と、端子台を覆う金属カバーと、金属カバーを嵌合する金属ケースとを含む。金属カバーが金属ケースと金属底蓋にそれぞれ係合して接続されることにより、電磁干渉を防止し、電磁干渉によるコネクタ本体の高周波信号の伝送効果への影響を避ける。
【０００６】
上記の説明に基づき、本考案の主な目的は、ベース及びベースから延在された舌部を有し、舌部の上面に複数の第１スロットが形成され、舌部の上面より下方に複数の第２スロットが形成され、第１スロットの先端と第２スロットの先端とが間隔を隔てて設けられた絶縁本体と、延在部、延在部の両端から延在された連結部、コンタクト、及び連結部から曲折して延在された半田部をそれぞれ画定し、第２スロットに設けられた複数の第１導電端子と、延在部、延在部の両端から延在された連結部、コンタクト、及び連結部から曲折して延在された半田部をそれぞれ画定し、第１スロットに設けられた複数の第２導電端子と、受容空間、受容空間に設けられ２分割する仕切板、及び底面に形成され仕切板の両側にそれぞれ位置するとともに各受容空間に連通し、各第１導電端子及び各第２導電端子の半田部が挿通するための複数の貫通孔が形成された端子台と、内部に端子台を設置し係合するための挿着空間が画定された金属カバーと、前ケース及び前ケース後端から延在し曲折して成形された後ケースを有し、前ケースの内部に絶縁本体が係合され、後ケースが金属カバーと互いに係合された金属ケースとを含む複数のコネクタ本体と、天井面と底面とを有し、天井面と底面との間に間隔を隔て設けられ、天井面の先端と底面の先端とがずれて配置され、コネクタ本体をそれぞれ支えるように、天井面の中央に天井面を２つの領域に区分するように上方に向かって突起部が形成され、底面の隣接する側面の上端及び下端の箇所に第１ブラケット及び第２ブラケットがそれぞれ延在されたコネクタハウジングと、金属本体、金属本体の先端から延在し左右対称に配置された２つの第１連結部、及び金属本体の後端から延在し左右対称に配置された２つの第２連結部を有し、第１連結部が第１ブラケットに係着され、第２連結部が第２ブラケットに係着され、金属ケースと互いに係止された金属底蓋とを備えるコネクタ構造を提供することにある。
【０００７】
前記コネクタ構造において、各コネクタ本体はさらに、第１導電端子の曲折箇所下方に配置され、第１導電端子の半田部を並列に固定するための絶縁固定部を備える。
【０００８】
前記コネクタ構造において、端子台の両側縁の底部に凹溝が設けられ、凹溝に係合するように金属カバーの両側縁に、対応する内向き凸係合片が設けられる。
【０００９】
前記コネクタ構造において、仕切板は、その両側面に第１導電端子の半田部と第２導電端子の半田部とを十分に離間することが可能な傾斜面を形成しる。
【００１０】
前記コネクタ構造において、第２導電端子は弾性導電端子である。
【００１１】
前記コネクタ構造において、前ケースの底面後端に側壁が垂直に外に向かって形成され、側壁の左右両側に外向き凸係合片がそれぞれ形成され、外向き凸係合片に係合するように金属カバーの先端側面に、対応する係合孔が形成される。
【００１２】
前記コネクタ構造において、絶縁本体のベースの両側辺にフランジがそれぞれ設けられ、前記ケースの後端両側には、フランジに係合するように対応する凹溝をそれぞれ有する。
【００１３】
前記コネクタ構造において、前ケースの底面の左右両側に内向きに突起する弾性片が形成され、弾性片を受けるようにコネクタハウジングの上面に係合溝が形成される。
【００１４】
前記コネクタ構造において、前ケースの両側辺に外向き凸係合片がそれぞれ形成され、前ケースの両側辺の外向き凸係合片に係合するようにコネクタハウジングの突起部の両側に、対応する係合溝がそれぞれ形成される。
【００１５】
前記コネクタ構造において、コネクタハウジングの裏面の底面近傍において両側に係合溝がそれぞれ形成され、第１連結部は間隔を隔てて設けられた第１弾性片及び第２弾性片を有し、第１弾性片及び第２弾性片が第１ブラケットの前後に架け渡され、第２弾性片に点状凸起が設けられ、点状凸起が係合溝に係合されている。
【００１６】
本考案に係るコネクタ構造によって、電磁干渉を効果的に防止し、電磁干渉がコネクタ本体に配置される製品の機能へ影響を与えることを避けるという目的を達成でき、しかもコネクタ本体の間のピッチを変更せずに同様にコネクタの構造の体積を減らすことができる。
【図面の簡単な説明】
【００１７】
【図１】本考案の一実施例のコネクタ構造を示す斜視図である。
【図２】図１のコネクタ構造の分解斜視図である。
【図３Ａ】図１のコネクタ構造のコネクタハウジングを示す斜視図である。
【図３Ｂ】図１のコネクタ構造のコネクタハウジングの他の斜視図である。
【図４】図１のコネクタ構造のコネクタ本体の分解斜視図である。
【図５】図４の金属ケースの他の斜視図である。
【図６Ａ】図４のコネクタハウジングの他の斜視図であり、収納孔を示す。
【図６Ｂ】図４のコネクタハウジングの他の斜視図であり、仕分板を示す。
【図６Ｃ】図６ＢのコネクタハウジングのＡ−Ａ′線の断面図であり、仕分板の斜面を示す。
【考案を実施するための形態】
【００１８】
本考案は、コネクタ構造を開示するが、コネクタの基本的な原理と機能は、すでに当該技術分野における通常の知識をもつ者にとっては明らかであるため、以下の説明では、本考案の特徴のみを詳細に説明する。また、下記明細書における図面も実際の関連サイズと全く同じサイズで制作したものではなく、単に本考案の特徴と関連することを示す模式図として機能するだけである。
【００１９】
まず、図１を参照する。図１は本考案の実施例のコネクタ構造を示す斜視図である。
【００２０】
図１に示すように、コネクタ構造１は、コネクタハウジング１１と、２つのコネクタ本体１２と、金属底蓋１３とで構成されている。
図３Ａ、図３Ｂを同時に参照する。コネクタハウジング１１は絶縁体で、高分子材料により作製され、その天井面１１ａと底面１１ｂとの間は、間隔を隔てており、天井面１１ａの先端縁と底面１１ｂの先端縁とが揃っておらずにずらして配置され、天井面１１ａの中央に上方に向かって突起部１１８が形成されて２つの領域に分けられることで、２つのコネクタ本体１２を並列して支えるとともに、２つのコネクタ本体１２の間に間隔を置くように保持している。金属底蓋１３は、コネクタハウジング１１の底面１１ｂに係合されることによって、コネクタ本体１２内の電気ノイズを接地し、電磁干渉（Ｅｌｅｃｔｒｏ  Ｍａｇｎｅｔｉｃ  Ｉｎｔｅｒｆｅｒｅｎｃｅ；ＥＭＩ）を効果的に抑制する。
【００２１】
次に、図２、図３Ａ、図３Ｂ、図４、図５、図６Ａ、図６Ｂ及び図６Ｃを参照する。図２は、図１のコネクタ構造１の分解斜視図であり、図３Ａは、図１のコネクタ構造１のコネクタハウジング１１を示す斜視図であり、図３Ｂは、図１のコネクタ構造１のコネクタハウジング１１の他の斜視図であり、図４は、図１のコネクタ構造１のコネクタ本体１２の分解斜視図であり、図５は、図４の金属ケース１２１６の他の斜視図であり、図６Ａは、図４の端子台１２１５の他の斜視図であり、図６Ｂは、図４の端子台１２１５の他の斜視図であり、図６Ｃは、図６ＢのコネクタハウジングのＡ−Ａ′線の断面図である。
【００２２】
図２に示すように、コネクタ構造１は、コネクタハウジング１１と、２つの並んで設けられたコネクタ本体１２と、金属底蓋１３とで構成されている。
金属底蓋１３は、金属本体１３１と、金属本体１３１の先端から延在し左右対称に配置された２つの第１連結部１３２と、金属本体１３１の後端から延在し左右対称に配置された第２連結部１３３とを備える。
各第１連結部１３２は、斜め前方かつ上方に延びる１つの第１弾性片１３２１と、垂直上方に延びる第２弾性片１３２２とをそれぞれ有し、第１弾性片１３２１と第２弾性片１３２２との間は間隔を隔てる。各第２連結部１３３は、垂直上方に延びる１つの第１弾性片１３３１と、後方に延びる１つの第２弾性片１３３２とを有し、各第１連結部１３２の第２弾性片１３２２に点状凸起１３２３が設けられ、点状凸起１３２３が前に向って突出し、各第２連結部１３３の第１弾性片１３３１に点状凸起１３３３が設けられ、点状凸起１３３３が前に向って突出している。
【００２３】
図３Ａ及び図３Ｂに示すように、コネクタハウジング１１の底面１１ｂの隣接する側面において、上端部及び下端部に第１ブラケット１１１及び第２ブラケット１１２がそれぞれ左右両側に向かって延在され、第１ブラケット１１１の内側には上差込溝１１１′を有し、第２ブラケット１１２の外側には下差込溝１１２′を有する。コネクタハウジング１１の天井面１１ａの中央に上方へ突起部１１８が形成され、突起部１１８の左右両側に第１係合溝１１３がそれぞれ形成されている。コネクタハウジング１１の裏面１１ｃの底面１１ｂ近傍において左右両側に第２係合溝１１４がそれぞれ対称に形成されている。コネクタハウジング１１の裏面１１ｃの中間部における左右両側に２つの第３係合溝１１５がそれぞれ形成されている。コネクタハウジング１１の２つの側壁１１ｄの内側より後方に第４係合溝１１６がそれぞれ形成されている。コネクタハウジング１１の左右天井面１１ａに２つの第５係合溝１１７がそれぞれ形成されている。
図２を参照する。金属底蓋１３の第１連結部１３２の第２弾性片１３２２がコネクタハウジング１１の上差込溝１１１′に挿入され、金属底蓋１３の第２連結部１３３の第１弾性片１３３１がコネクタハウジング１１の下差込溝１１２′に挿入され、第１弾性片１３２１及び第２弾性片１３２２が第１ブラケット１１１の前後に架け渡され、第１連結部１３２の第２弾性片１３２２上の点状凸起１３２３がコネクタハウジング１１の第２係合溝１１４に係合されている。
【００２４】
図２及び図４に示すように、コネクタ本体１２は、端子接続部１２１と、金属ケース１２２とを備える。
端子接続部１２１は絶縁本体１２１１、Ｌ字状に曲折された５つの第１導電端子１２１２、Ｌ字状に曲折された４つの第２導電端子１２１３、絶縁固定部１２１４、端子台１２１５及び金属カバー１２１６を有する。第１導電端子１２１２は固定導電端子であり、第２導電端子１２１３は弾性導電端子である。第１導電端子１２１２の半田部１２１２ｄを並列固定するために、絶縁固定部１２１４が第１導電端子１２１２の曲折箇所の下方に配置されている。第１導電端子１２１２のコンタクト１２１２ｃが第２導電端子１２１３のコンタクト１２１３ｃの下方で前寄りの位置に位置し、かつ、第１導電端子１２１２の曲折箇所以下の半田部１２１２ｄと第２導電端子１２１３の曲折箇所以下の半田部１２１３ｄとが間隔を置くように、第１導電端子１２１２と第２導電端子１２１３とが絶縁本体１２１１に固定されている。端子台１２１５は、第１導電端子１２１２の半田部１２１２ｄと第２導電端子１２１３の半田部１２１３ｄとを覆うようになっている。
【００２５】
引き続き図４を参照する。絶縁本体１２１１は、ベース１２１１１と、ベース１２１１１から前へ延びる舌部１２１１２とを有し、ベース１２１１１の上面は、舌部１２１１２の上面より高く、ベース１２１１１の両側辺にフランジ１２１１１ａがそれぞれ設けられ、舌部１２１１２の上面に４つの第１スロット１２１１２ａが形成され、舌部１２１１２の上面より下方に５つの第２スロット１２１１２ｂが形成され、第２スロット１２１１２ｂの先端と第１スロット１２１１２ａの先端とが間隔を置くようになっている。各第１導電端子１２１２は、連結部１２１２ａ、延在部１２１２ｂ、コンタクト１２１２ｃ及び半田部１２１２ｄをそれぞれ画定し、各第２導電端子１２１３は連結部１２１３ａ、延在部１２１３ｂ、コンタクト１２１３ｃ及び半田部１２１３ｄをそれぞれ画定する。
【００２６】
引き続き図４を参照する。各第１スロット１２１１２ａに各第２導電端子１２１３の延在部１２１３ｂ、連結部１２１３ａ及びコンタクト１２１３ｃがそれぞれ設けられるとともに、各第２スロット１２１１２ｂに各第１導電端子１２１２の延在部１２１２ｂ、連結部１２１２ａ及びコンタクト１２１２ｃがそれぞれ設けられている。具体的には、第１導電端子１２１２の半田部１２１２ｄが連結部１２１２ａに垂直に接続され、第１導電端子１２１２の延在部１２１２ｂと連結部１２１２ａが舌部１２１１２の上面の下方に位置し、第１導電端子１２１２のコンタクト１２１２ｃが延在部１２１２ｂから前へ延伸して舌部１２１１２の先端に露出している。一方、第２導電端子１２１３の半田部１２１３ｄが連結部１２１３ａに垂直に接続され、第２導電端子１２１３の連結部１２１３ａ、延長部１２１３ｂ及び第２コンタクト１２１３ｃが第１スロット１２１１２ａを挿通し、コンタクト１２１３ｃとコンタクト１２１２ｃとが前後にずれて配置されている。
【００２７】
引き続き図４を参照する。端子台１２１５内に受容空間１２１５ａが形成され、受容空間１２１５ａ内に受容空間１２１５ａを２分割する仕切板１２１５ｂが形成され、仕切板１２１５ｂは、その両側面に第１導電端子１２１２の半田部１２１２ｄと第２導電端子１２１３の半田部１２１３ｄとを十分に離間することが可能な傾斜面を形成し、その形状は図６Ｂ及び図６Ｃに示されている。
図６Ａに示すように、第１導電端子１２１２及び第２導電端子１２１３の半田部１２１２ｄ、１２１３ｄの末端を受けるように、端子台１２１５の底面に９つの配列された貫通孔１２１５ｄが設けられ、また、貫通孔１２１５ｄが受容空間１２１５ａと連通する。具体的には、仕切板１２１５ｂは、第１導電端子１２１２と第２導電端子１２１３を端子台１２１５に嵌め込んで組み立てる時に、半田部１２１２ｄと半田部１２１３ｄとを離間するために用いられ、良好な案内機能を有する。貫通孔１２１５ｄは、半田部１２１２ｄ及び１２１３ｄの末端を挿通するために用いられる。端子台１２１５の両側辺１２１５ｅの側縁に係合溝１２１５ｃがそれぞれ形成され、金属カバー１２１６と組み立てるときに係合するために用いられる。
【００２８】
引き続き図４を参照する。金属カバー１２１６は、内部に端子台１２１５を係合させるための挿着空間１２１６ａを画定し（図５に示すように）、金属カバー１２１６の後側面、前側面及び左右側面には、２つ以上の外向き凸係合片１２１６ｂ、２つ以上の外向き凸係合片１２１６ｃ、及び２つ以上の外向き凸係合片１２１６ｄをそれぞれ有する。金属カバー１２１６の前側面に２つの係合孔１２１６ｇがさらに設けられている。金属カバー１２１６の左右側面の側縁に２つの内向き凸係合片１２１６ｅと２つの係合孔１２１６ｉがそれぞれ設けられている。金属カバー１２１６の左右側面に２つの内向き凸係合片１２１６ｆがさらに設けられている。
図５に示すように、金属カバー１２１６の後側面に１つの係合孔１２１６ｈがさらに設けられ、個数はこれに限定されない。金属カバー１２１６の外向き凸係合片１２１６ｃがコネクタハウジング１１の第３係合溝１１５にそれぞれ係合され、金属カバー１２１６の外向き凸係合片１２１６ｄがコネクタハウジング１１の第４係合溝１１６にそれぞれ係合され、金属カバー１２１６の内向き凸係合片１２１６ｅが端子台１２１５の係合溝１２１５ｃにそれぞれ係合され、金属カバー１２１６の内向き凸係合片１２１６ｆが端子台１２１５の両側辺１２１５ｅの底部の凹溝１２１５ｆにそれぞれ係合され、金属カバー１２１６の係合孔１２１６ｈが金属底蓋１３の第２連結部１３３の第１弾性片１３３１上の点状凸起１３３３に係合されている。
【００２９】
引き続き図４を参照する。絶縁本体１２１１、第１導電端子１２１２、第２導電端子１２１３、絶縁固定部１２１４、端子台１２１５及び金属カバー１２１６の組み立てを完了した後、図２に示す端子連結部１２１になる。
【００３０】
引き続き図４を参照する。金属ケース１２２は、前ケース１２２１と、後ケース１２２２とを備え、金属ケース１２２の後ケース１２２２の先端が前ケース１２２１の後端に接続されてＬ字状になり、後ケース１２２２が前ケース１２２１の後端から延伸して曲折成形される。前ケース１２２１の後端の左右両側には凹溝１２２１ａをそれぞれ有し、前ケース１２２１の上面及び底面は、左右両側に内に向かって突出する上弾性片１２２１ｂ及び下弾性片１２２１ｃをそれぞれ形成している。前ケース１２２１の左右両側に外向き凸係合片１２２１ｄがそれぞれ形成され、前ケース１２２１の上面の後端寄り箇所において、左右両側に内向き凸係合片１２２１ｅがそれぞれ形成されている。
図２に示すように、前ケース１２２１の底面後端に側壁が垂直に外に向かって形成されるとともに、側壁の左右両側に外向き凸係合片１２２１ｆがそれぞれ形成されている。金属ケース１２２の外向き凸係合片１２２１ｄがコネクタハウジング１１の第１係合溝１１３と互いに係合され、金属ケース１２２の下弾性片１２２１ｃがコネクタハウジング１１の第５係合溝１１７に受容されている。後ケース１２２２の両側辺には内向き凸係合片１２２２ｄをそれぞれ有し、前ケース１２２１に形成された凹穴に係合されている。
図２に示すように、後ケース１２２２の上面に係合孔１２２２ｂが形成され、両側辺に弾性片１２２２ｃが形成されている。金属ケース１２２の外向き凸係合片１２２１ｆのそれぞれが金属カバー１２１６の各係合孔１２１６ｇに係合され、金属ケース１２２の係合孔１２２２ｂのそれぞれが金属カバー１２１６の各外向き凸係合片１２１６ｂに係合され、金属ケース１２２の弾性片１２２２ｃが金属カバー１２１６の係合孔１２１６ｉと互いに係合されている。
【００３１】
上記実施例では、本考案のコネクタ構造１の組立手順は、以下のとおりである。
まず、第１導電端子１２１２を絶縁本体１２１１に装着し、さらに第２導電端子１２１３を絶縁本体１２１１に装着し、第１導電端子１２１２の半田部１２１２ｄが第２導電端子１２１３の半田部１２１３ｄの前方に位置する。なお、第１導電端子１２１２はインサート成形（ｉｎｓｅｒｔ  ｍｏｌｄｉｎｇ）の方式で絶縁本体１２１１と一体に成形してもよい。次に、端子台１２１５により半田部１２１２ｄ及び半田部１２１３ｄを覆うように、第１導電端子１２１２の半田部１２１２ｄの末端と第２導電端子１２１３の半田部１２１３ｄの末端とを端子台１２１５の底部における貫通孔１２１５ｄに挿通する。
さらに、端子台１２１５全体を収納して覆うように金属カバー１２１６を端子台１２１５に組み立てる。これにより、端子接続部１２１の組み立てを完了する。そして、組み立てを完了した端子接続部１２１を金属ケース１２２の後端から金属ケース１２２の前ケース１２２１内に嵌め込み、さらに組み立てを完了した端子接続部１２１と金属ケース１２２をコネクタハウジング１１の天井面１１ａに取り付ける。最後に、金属底蓋１３をコネクタハウジング１１の底面１１ｂに取り付ける。前記組み立て時の各部品の係合接続の詳細については前記と同様、ここで繰り返し説明しない。
【００３２】
上記実施例では、コネクタハウジング１１の第５係合溝１１７は、金属ケース１２２の下弾性片１２２１ｃを受けるために用いられ、外部から挿入されたオスコネクタが挿入または抜かれる時に、挿入、引抜き力が大きすぎて金属ケース１２２の下弾性片１２２１ｃが損傷されてしまうことを避ける。
【００３３】
上記実施例では、コネクタハウジング１１の第３係合溝１１５が金属カバー１２１６の各外向き凸係合片１２１６ｃと係合することで、金属カバー１２１６の組み立て後の変位を防止する。
【００３４】
上記実施例では、金属カバー１２１６の各外向き凸係合片１２１６ｄがコネクタハウジング１１の第４係合溝１１６と係合する。より詳しく言えば、金属カバー１２１６の各外向き凸係合片１２１６ｄが弾性を有し、金属カバー１２１６をコネクタハウジング１１の第４係合溝１１６に装着するための弾性基準面として用いられ、金属カバー１２１６をコネクタハウジング１１に装着するとき、コネクタハウジング１１の第４係合溝１１６が金属カバー１２１６を締付すぎて、コネクタハウジング１１または金属カバー１２１６を損傷することを避ける。
【００３５】
上記実施例では、金属底蓋１３の第１連結部１３２の第２弾性片１３２２における点状凸起１３２３がコネクタハウジング１１の第２係合溝１１４に係合されることで、金属底蓋１３の第１連結部１３２がコネクタハウジング１１から抜け落ちることを防止する。
【００３６】
上記実施例では、絶縁固定部１２１４は、第１導電端子１２１２の半田部１２１２ｄを固定し、覆うために用いられ、半田部１２１２ｄが順序なく配列されることを避けるとともに、半田部１２１２ｄが端子台１２１５の貫通孔１２１５ｄを挿通するとき、位置合わせができず挿通し難くなることを避ける。
一方、第１導電端子１２１２が絶縁本体１２１１に装着される前に、その半田部１２１２ｄの末端がタイバー（図示せず）で接続され、組み立て後でないとタイバーをカットしないようになっているため、絶縁固定部１２１４も、半田部１２１２ｄの末端がタイバーカットした後に散らばることを避けられる。
【００３７】
上記実施例では、第１導電端子１２１２は、組み立て方式で絶縁本体１２１１と結合してもよいし、インサート成形（ｉｎｓｅｒｔ  ｍｏｌｄｉｎｇ）の工程で絶縁本体１２１１と一体に成形してもよい。ここでは、これらに限定されない。第２導電端子１２１３と絶縁本体１２１１との結合方法は、組み立ての方法を用いる。
【００３８】
上記実施例では、金属ケース１２２の内向き凸係合片１２２１ｅが絶縁本体１２１１のベース１２１１１の上面に係着されることで、絶縁本体１２１１を固定する。
【００３９】
上記実施例では、金属ケース１２２の前ケース１２２１の凹溝１２２１ａが絶縁本体１２１１のベース１２１１１のフランジ１２１１１ａと互いに係合され、金属ケース１２２の前ケース１２２１の凹溝１２２１ａと絶縁本体１２１１のベース１２１１１のフランジ１２１１１ａとが、絶縁本体１２１１と金属ケース１２２とを組み立てる基準点となり、絶縁本体１２１１と金属ケース１２２との組み立ての後の安定性をより確保できた。
【００４０】
上記実施例では、金属ケース１２２の後ケース１２２２の先端が前ケース１２２１の後端に接続されてＬ字状になる方法は、まず前ケース１２２１と後ケース１２２２とを一体に成形し、その後さらに後ケース１２２２を下方へ曲折して成形するように構成されており、よって、コストを削減できる。また、後ケース１２２２を下方へ容易に曲折するために、金属ケース１２２の後ケース１２２２と前ケース１２２１の接続箇所を部分的に切断しておく。
【００４１】
上記実施例では、金属ケース１２２の外向き凸係合片１２２１ｆと金属カバー１２１６の係合孔１２１６ｇとの係合、金属ケース１２２の係合孔１２２２ｂと金属カバー１２１６の外向き凸係合片１２１６ｂとの係合、及び金属ケース１２２の弾性片１２２２ｃと金属カバー１２１６の係合孔１２１６ｉとの相互係合によって、金属ケース１２２に金属カバー１２１６を安定して固定することができ、金属カバー１２１６の抜けを防止するとともに接地効果を達成でき、電磁干渉を防止できる。
【００４２】
上記実施例では、金属ケース１２２の両側の内向き凸係合片１２２２ａが金属ケース１２２の前ケース１２２１の両側に凹穴に係合されることで、前ケース１２２１が拡張されることを防止する。
【００４３】
上記実施例では、金属カバー１２１６の両側の内向き凸係合片１２１６ｆが端子台１２１５の両側辺１２１５ｅの底部の凹溝１２１５ｆにそれぞれ係合されることで、金属カバー１２１６内に端子台１２１５が下へ滑り落ちることを防止し、金属カバー１２１６の内向き凸係合片１２１６ｆが、端子台１２１５を金属カバー１２１６に装着する位置止め基準点となる。また、金属カバー１２１６の両側の内向き凸係合片１２１６ｅが端子台１２１５の両側の係合溝１２１５ｃにそれぞれ係合されることで、端子台１２１５が金属カバー１２１６に落ちないように安定して組み立てられることを確保する。
【００４４】
上記実施例では、コネクタ構造１の組み立てを完了した後で、金属底蓋１３の第１連結部１３２の第２弾性片１３２３と金属底蓋１３の第２連結部１３３の第１弾性片１３３１とが接地であることで、電気ノイズを効率的に排除し、電磁干渉を防止する効果を向上する。
【００４５】
上記実施例では、外部からＵＳＢ３．０の伝送信号が入力されると、半田部１２１２ｄと半田部１２１３ｄとがともにＵＳＢ３．０の伝送信号を伝送する。外部からＵＳＢ２．０の伝送信号が入力されると、半田部１２１３ｄのみがＵＳＢ２．０の伝送信号を伝送する。
【００４６】
上記実施例では、本考案のコネクタ構造１は、例えば、携帯電話、タブレットＰＣ、ノートパソコン、及びデスクトップ型パソコンなどの電子装置に適用することができるが、これらのものに限定されない。
【００４７】
以上、本考案の好ましい実施例を例示したが、これは本考案を限定するものではない。本考案の精神及び範囲を逸脱しない限り、当該技術を熟知するいずれの技術者であっても、多少の変更や修飾を加えることは当然可能である。したがって、本考案が保護を請求する範囲は、本明細書に添付される実用新案登録請求の範囲に従うべきである。
【符号の説明】
【００４８】
１  コネクタ構造
１１  コネクタハウジング
１１ａ  天井面
１１ｂ  底面
１１ｃ  裏面
１１ｄ  側壁
１２  コネクタ本体
１３  金属底蓋
１１１  第１ブラケット
１１１′  上差込溝
１１２  第２ブラケット
１１２′  下差込溝
１１３  第１係合溝
１１４  第２係合溝
１１５  第３係合溝
１１６  第４係合溝
１１７  第５係合溝
１１８  突起部
１２１  端子接続部
１２２  金属ケース
１３１  金属本体
１３２  第１連結部
１３３  第２連結部
１２１１  絶縁本体
１２１２  第１導電端子
１２１２ａ、１２１３ａ  連結部
１２１２ｂ、１２１３ｂ  延在部
１２１２ｃ、１２１３ｃ  コンタクト
１２１２ｄ、１２１３ｄ  半田部
１２１３  第２導電端子
１２１４  絶縁固定部
１２１５  端子台
１２１５ａ  受容空間
１２１５ｂ  仕切板
１２１５ｃ  係合溝
１２１５ｄ  貫通孔
１２１５ｅ  側辺
１２１５ｆ  凹溝
１２１６  金属カバー
１２１６ａ  挿着空間
１２１６ｂ、１２１６ｃ、１２１６ｄ  外向き凸係合片
１２１６ｅ、１２１６ｆ  内向き凸係合片
１２１６ｇ、１２１６ｈ、１２１６ｉ  係合孔
１２２１  前ケース
１２２１ａ  凹溝
１２２１ｂ  上弾性片
１２２１ｃ  下弾性片
１２２１ｄ、１２２１ｆ  外向き凸係合片
１２２１ｅ  内向き凸係合片
１２２２  後ケース
１２２２ａ  内向き凸係合片
１２２２ｂ  係合孔
１２２２ｃ  弾性片
１３２１、１３３１  第１弾性片
１３２２、１３３２  第２弾性片
１３２３、１３３３  点状凸起
１２１１１  ベース
１２１１１ａ  フランジ
１２１１２  舌部
１２１１２ａ  第１スロット
１２１１２ｂ  第２スロット
【図１】
0003201237.tif 000003
【図２】
0003201237.tif 000004
【図３Ａ】
0003201237.tif 000005
【図３Ｂ】
0003201237.tif 000006
【図４】
0003201237.tif 000007
【図５】
0003201237.tif 000008
【図６Ａ】
0003201237.tif 000009
【図６Ｂ】
0003201237.tif 000010
【図６Ｃ】
0003201237.tif 000011